(57)【要約】【課題】洗浄行程での洗浄水の対流を少なくし効率良く水温を上げることができるとともに、洗浄工程に入る前の蒸気での蒸らし、ミスト工程でのミストの食器への付着のバラツキなくし、食器に対する蒸らし、ミストの付着を良くし、洗浄効率をよくした食器洗い機を実現する。【解決手段】洗浄水を加熱するヒータと排水口との中間位置に洗浄槽内の水の対流を抑制する堰を設けることにより、湯沸しが効率良く早くすることができ、がんこな汚れに対する蒸らし、ミスト付着を良くし仕上がりよく洗浄することを可能とした。【選択図】図１
2006326022.tif 000002
【特許請求の範囲】
【請求項１】
食器類を収容する洗浄槽と、前記洗浄槽の内部に設けられ前記食器類に洗浄水を噴射する洗浄ノズルと、洗浄槽底部に設けられ洗浄水を加熱するヒータと、洗浄槽底部に設けた排水口と、前記排水口からの洗浄水を前記洗浄ノズルに送るポンプとを備え、前記ヒータと前記排水口との中間位置に洗浄槽内の水の対流を抑制する堰を設けた食器洗い機。
【請求項２】
堰はヒータに対し、洗浄水の対流のおこる下流側に配置した請求項１記載の食器洗い機。
【請求項３】
堰は洗浄槽底部より高い高さ位置に位置させた請求項１または２記載の食器洗い機。
【請求項４】
堰は着脱可能な構成とした請求項１〜３のいずれか１項記載の食器洗い機。
【請求項５】
ヒータの上方にヒータカバーを設け、堰を前記ヒータカバーの排水口側の端部に設けた請求項１〜４のいずれか１項記載の食器洗い機。
【請求項６】
堰は、洗浄槽底部から立設させた請求項１〜４のいずれか１項記載の食器洗い機。
【請求項７】
洗浄槽内部のヒータ前方に洗浄水を微細な粒子状にしてミストを発生させるミスト発生装置を設けた請求項１〜６のいずれか１項記載の食器洗い機。
【発明の詳細な説明】
【技術分野】
【０００１】
本発明は洗浄ノズルより食器に向けて洗浄水を噴射して食器を洗浄する食器洗い機に関するものである。
【背景技術】
【０００２】
従来、この種の食器洗い機は図８に示すように構成していた。以下、その構成について説明する。
【０００３】
図８に示すように、洗浄槽１は、内部に洗浄液を微細な粒子状にしてミストを発生するミスト発生装置２とヒータ３と洗浄水を噴射する洗浄ノズル５を回転自在に設けるとともに、食器６を収容する食器かご７を配置している。そして、ヒータ３の上方にはヒータ３への小物食器類の落下を防ぐためのヒータカバー４が設けられている。洗浄槽１内の洗浄水はヒータ３によって温水化され、ポンプ８にて残滓フィルター９を通して排水口１０から吸い込まれ、洗浄ノズル５に圧送される。洗浄ノズル５より勢いよく噴射される洗浄水によって、食器かご７に配置収容された食器６を洗浄するように構成している（例えば、特許文献１参照）。
【特許文献１】特開２００１−６１７５６号公報
【発明の開示】
【発明が解決しようとする課題】
【０００４】
しかしながら、このような従来の食器洗い機では、洗浄行程においては、ヒータ３上にある洗浄水が、ヒータカバー４の先端側に向けて排水口１０へと対流がおこり、沸かされた洗浄水が排水口１０に流れていき、排水口１０の冷たい洗浄水がヒータ３側に流れ込み湯沸しの時間がかかってしまうという問題を有していた。
【０００５】
また、洗浄行程に入る前のミスト行程でのミスト発生装置２から発生されるミストの洗浄槽１内への充満に時間がかかり、食器６に付いている汚れへの蒸らし効果やミストの付着にバラツキがでるという問題を有していた。
【０００６】
本発明は、上記従来の課題を解決するもので、ヒータ３上の洗浄水の対流を少なくし効率良く早く水温を上げることができるとともに、食器に付いている汚れに対する蒸らし、ミスト付着を良くし、洗浄効率を向上させた食器洗い機を提供することを目的としている。
【課題を解決するための手段】
【０００７】
本発明は上記目的を達成するために、洗浄槽底部にヒータを備え、前記ヒータと前記排水口との中間位置に洗浄槽内の水の対流を抑制する堰を設けたものである。
【０００８】
これにより、ヒータ上の洗浄水の対流を少なくし湯沸しが効率よく早く水温を上げることができるとともに、食器に付いている汚れに対する蒸らし、ミスト付着を良くし効率良く、かつ、仕上がり良く洗浄できるものである。
【発明の効果】
【０００９】
本発明の食器洗い機は、食器かごに収容する食器の洗浄性を改善し、洗浄効率を向上させた食器洗い機を実現することができる。
【発明を実施するための最良の形態】
【００１０】
第１の発明は、食器類を収容する洗浄槽と、前記洗浄槽の内部に設けられ前記食器類に洗浄水を噴射する洗浄ノズルと、洗浄槽底部に設けられ洗浄水を加熱するヒータと、洗浄槽底部に設けた排水口と、前記排水口からの洗浄水を前記洗浄ノズルに送るポンプとを備え、前記ヒータと前記排水口との中間位置に洗浄槽内の水の対流を抑制する堰を設けたことにより、湯沸しを効率的にすることができるともに、早い時間で食器に付いている汚れの蒸らしおよびミストの付着ができ、洗浄効率が向上可能となる。
【００１１】
第２の発明は、上記第１の発明において、堰はヒータに対し、洗浄水の対流のおこる下流側に配置したことにより、ヒータ全体で迅速な湯沸しができる。
【００１２】
第３の発明は、上記第１または第２の発明において、堰は洗浄槽底部より高い高さ位置に位置させたことにより、洗浄、排水時のポンプへの水の供給の妨げとならず、洗浄時において洗浄ノズルから洗浄水を良好に噴射させることができるとともに、排水時においてもヒータ下の洗浄槽の水残りを少なくすることができる。また、堰での残滓の詰まりを防ぐことができる。
【００１３】
第４の発明は、上記第１〜第３の発明において、堰は着脱可能な構成としたことにより、堰についた汚れ等を容易に清掃することができる。
【００１４】
第５の発明は、上記第１〜第４の発明において、ヒータの上方にヒータカバーを設け、堰を前記ヒータカバーの排水口側の端部に設けたことにより、水の対流をより効率よく抑止できるとともに、堰の位置ずれや外れを防ぐことができる。また、ヒータカバーとともに取り外すことができるので、堰に付着した汚れ等の清掃がより容易に行うことができる。
【００１５】
第６の発明は、上記第１〜第４の発明において、堰は、洗浄槽底部から立設させたことにより、樹脂成型で洗浄槽底部に一体構成できて安価に構成できるとともに、上下抜きができるため金型構造を簡単にすることができる。
【００１６】
第７の発明は、上記第１〜第６の発明において、洗浄槽内部のヒータ前方に洗浄水を微細な粒子状にしてミストを発生させるミスト発生装置を設けたことにより、効率良く湯沸しができ、水温の温度上昇を早くすることができるため、ミストの発生量を多くすることができるとともに、水温の温度上昇に伴う上昇気流の発生で洗浄槽内部のミスト充満に要する時間を短くすることができる。
【００１７】
以下、本発明の実施の形態について、図面を参照しながら説明する。なお、食器洗い機の基本構成は、図８に示した従来例と同じであり、同じ構成のものは同一符号を付して説明を省略する。また、この実施の形態によって本発明が限定されるものではない。
【００１８】
（実施の形態１）
図１は本発明の実施の形態１における食器洗い機の縦断面図、図２、図３は同食器洗い機の要部拡大図である。
【００１９】
図１において、洗浄槽１内の底部には、左右一対の回転自在な洗浄ノズル５が設けられ、その前方で、左右方向のほぼ中央部には洗浄水を加熱して温水化するヒータ３が設けられている。洗浄ノズル５の前方でヒータ３の右側には、排水口１０の上方を覆うように残滓フィルター９が設けられている。そして、左右一対の洗浄ノズル５の上方に食器６を収容する食器かご７を配置している。そして、ヒータ３の上方にはヒータ３への小物食器類の落下を防ぐためのヒータカバー４が設けられている。
【００２０】
食器洗い機の前面に設けた操作パネル（図示しない）を使って希望する洗浄コースを選択し、スタートボタンを押すと、洗浄行程において洗浄槽１内の洗浄水はヒータ３によって温水化され、ポンプ８にて残滓フィルター９を通して排水口１０から吸い込まれ、洗浄ノズル５に圧送され、洗浄ノズル５より勢いよく噴射される洗浄水によって、食器かご７に配置収容された食器６を洗浄するように構成している。
【００２１】
さらに、洗浄槽１の底部でヒータ３の上方やや前方には、洗浄槽１内部に洗浄液を微細な粒子状にしてミストを発生させるミスト発生装置２が配設されている。このミスト発生装置２によって発生される洗浄液のミストは、主として洗浄行程に先立って行われるミスト行程において使用されるもので、食器６の表面の汚れに万遍無く付着させ、一定時間放置することで汚れに浸透して汚れを食器６の表面から浮き上がらせ、その後の洗浄行程での洗浄を容易にするものである。
【００２２】
図２に示すように、ヒータカバー４は、線材を組み合わせて構成し、洗浄水が対流する下流側、すなわち残滓フィルター９および排水口１０に近いほうの先端を洗浄槽１の底部方向に曲げてある。そして、このヒータカバー４の洗浄槽１の底部方向に曲げた箇所にステンレス板を接着等の手段で固着して、洗浄水の対流を抑制する堰１１としている。
【００２３】
次に、上記のように構成した食器洗い機の動作、作用について説明する。
【００２４】
従来のような堰を設けない構成の場合、洗浄行程においては、湯沸しにより、ヒータ３上にある洗浄水が、ヒータカバー４の先端側に向けて排水口１０へと対流がおこり、沸かされた洗浄水が排水口１０に流れていき、排水口１０の冷たい洗浄水がヒータ３側に流れ込み湯沸しの時間がかかってしまっていたが、本発明の本実施の形態の場合は、ヒータカバー４に堰１１を設置することで洗浄水の対流をなくしヒータ３上の水を一気に湯沸し蒸気を早く出し蒸らし効果を上げることができる。
【００２５】
また、ミスト行程においては、ヒータ３上にミスト発生装置２によりミストを発生することにより、早い湯沸しによる上昇気流の発生でミストを早く上昇させることにより、上方に配置された食器６に付いた汚れへのミストの付着量を増やすとともに、洗浄槽１全体にミストを早く充満させ、食器かご７に配置した食器６に付いた汚れ全体にミストの付着量を増やす効果が得られる。
【００２６】
（実施の形態２）
食器洗い機の基本構成および動作は実施の形態１と同じであるので、詳しい説明は省略し、実施の形態１と相違する点についてのみ説明する。
【００２７】
図３に示すように、堰１１は洗浄槽１の底部でヒータ３と排水口１０との中間位置に取り付ける構成である。洗浄槽１の底部には、凹部１ａが設けられており、この凹部１ａにステンレス板でできた堰１１を挿入して、堰１１を洗浄槽１の底部から立設させてある。
【００２８】
本実施の形態では、堰１１を洗浄槽１の底部に取り付けるように構成しているため、ヒータカバー４の無い構成やヒータカバー４に堰１１を取りつけることのできない形状の構成においても、実施の形態１と同様の効果を得ることができる。
【００２９】
なお、本実施の形態では、堰を洗浄槽とは別部品で構成したが、洗浄槽底部の一部を上方に突出させ、洗浄槽と一体に構成しても同様の効果が得られる。
【００３０】
（実施の形態３）
図４、図５は本発明の実施の形態３における食器洗い機の要部拡大図、図６、図７は、それぞれ本発明の実施の形態３における食器洗い機のヒータカバーあるいは堰を取り外した状態を示す要部拡大図である。食器洗い機の基本構成および動作は実施の形態１あるいは２と同じであるので、詳しい説明は省略し、実施の形態１あるいは２と相違する点についてのみ説明する。
【００３１】
図４、図５において、堰１１は洗浄槽１底部より高い位置に取り付けることにより、前記洗浄槽１底部と堰１１との間に空隙１２を設け、洗浄行程あるいは排水行程でのポンプへの水の供給の妨げをなくし、堰１１での残滓の詰まりを防ぐことができるようにした構成である。
【００３２】
図４においては、図２に示した実施の形態１と同様に、堰１１をヒータカバー４の洗浄水が対流する下流側の側面に接着してある。実施の形態１と相違する点は、堰１１の下辺は洗浄槽１の底部よりも高い高さ位置に位置させて、堰１１の下端と洗浄槽１の底部との間に空隙１２を形成している点である。
【００３３】
また、図５においては、堰１１を略Ｌ字状に形成し、図３に示した実施の形態２と同様に、その一端１１ａを洗浄槽１に形成した凹部１ａに挿入して、洗浄槽１の底部から立設させてある。
【００３４】
上記図４、図５に示したいずれの構成においても、堰１１の下端と洗浄槽１の底部との間に空隙１２を形成したので、洗浄、排水時のポンプへの水の供給を円滑にすることができ、洗浄時においては洗浄ノズルから洗浄水を良好に噴射させることができるとともに、排水時においてもヒータ下の洗浄槽の水残りを少なくすることができる。また、堰での残滓の詰まりを防ぐこともできる。
【００３５】
図４に示した構成においては、図６に示すように、堰１１はヒータカバー４とともに着脱が可能としてある。また、図５に示した構成の場合は、図７に示すように、ヒータカバー４とは別部品で構成した堰１１を着脱可能に構成してある。上記いずれの構成においても、堰１１は洗浄槽１底部より容易に着脱ができるので、堰１１に付いた汚れの清掃を容易に行うことができる。
【産業上の利用可能性】
【００３６】
以上のように、本発明にかかる食器洗い機は、洗浄前の湯沸しを素早くすることができるとともに、蒸らし、ミストの付着を効果的にすることが可能となるので、湯沸し用ヒータを用いた食器洗い機等に有用である。
【図面の簡単な説明】
【００３７】
【図１】本発明の実施の形態１の食器洗い機の縦断面図
【図２】本発明の実施の形態１の食器洗い機の要部拡大図
【図３】本発明の実施の形態２の食器洗い機の要部拡大図
【図４】本発明の実施の形態３の食器洗い機の要部拡大図
【図５】本発明の実施の形態３の食器洗い機の要部拡大図
【図６】本発明の実施の形態３の食器洗い機のヒータカバーを取り外した状態を示す要部拡大図
【図７】本発明の実施の形態３の食器洗い機の堰を取り外した状態を示す要部拡大図
【図８】従来の食器洗い機の縦断面図
【符号の説明】
【００３８】
１  洗浄槽
２  ミスト発生装置
３  ヒータ
４  ヒータカバー
５  洗浄ノズル
６  食器
７  食器かご
８  洗浄ポンプ（ポンプ）
９  残滓フィルター
１０  排水口
１１  堰
１２  空隙
【図１】
2006326022.tif 000003
【図２】
2006326022.tif 000004
【図３】
2006326022.tif 000005
【図４】
2006326022.tif 000006
【図５】
2006326022.tif 000007
【図６】
2006326022.tif 000008
【図７】
2006326022.tif 000009
【図８】
2006326022.tif 000010